(57)【要約】  容器（Ａ１）は、開口（１２ａ）をもつ筒状部（１２）を有する容器本体（１）と、開口（１２ａ）を閉塞可能な蓋体（２）と、容器本体（１）につながる第１の端部（３１）および蓋体（２）につながる第２の端部（３２）を有するループ部（３）と、を備える。蓋体（２）は、開口（１２ａ）を塞ぐ頂板部（２１）および蓋体（２）の周部における所定部位から外方に延びる鍔部（２３）を有するとともに、鍔部（２３）を介してループ部（３）の第２の端部（３２）につながっている。容器（Ａ１）は、蓋体保持手段（支持部（１３）と延出片（２４））により、蓋体（２）を、鍔部（２３）が押し下げられて開口（１２ａ）を外部に臨ませるように回動した状態で保持することができる。
2011108134.tif 000002
【特許請求の範囲】
【請求項１】
開口をもつ筒状部を有する容器本体と、上記開口を閉塞可能な蓋体と、上記容器本体につながる第１の端部および上記蓋体につながる第２の端部を有する接続部と、を備えた容器であって、
上記蓋体は、上記開口を塞ぐ頂板部および当該蓋体の周部における所定部位から外方に延びる鍔部を有するとともに、上記鍔部を介して上記接続部の上記第２の端部につながっており、
上記蓋体を、上記鍔部が押し下げられて上記開口を外部に臨ませるように回動した状態で保持する蓋体保持手段を備えることを特徴とする、容器。
【請求項２】
上記蓋体は、上記開口を閉塞する第１位置と、上記第１位置に対して上記鍔部が上記筒状部の軸方向に所定距離移動した第２位置と、上記第２位置から上記開口を外部に臨ませるように回動した第３位置とをとることができ、
上記蓋体保持手段は、上記第３位置をとった上記蓋体を保持する、請求項１に記載の容器。
【請求項３】
上記蓋体は、上記頂板部の周部から延びるとともに、上記第１位置をとるときに上記容器本体の上記筒状部に嵌まる円筒部を有する、請求項２に記載の容器。
【請求項４】
上記蓋体保持手段は、上記鍔部から延びるとともに上記円筒部の外周面との間に隙間を介して設けられた延出片と、上記筒状部の径方向外方に設けられた支持部とを含んで構成されており、
上記蓋体保持手段は、上記開口を外部に臨ませるように上記蓋体が回動したときに、上記延出片が上記支持部に係合するように構成されている、請求項３に記載の容器。
【請求項５】
上記蓋体保持手段は、上記円筒部の外周面と上記延出片との間に上記支持部が嵌合する構成を含む、請求項４に記載の容器。
【請求項６】
上記延出片は、上記円筒部の外周面に向けて突出するフック部を有し、上記フック部において上記支持部に係合する、請求項４に記載の容器。
【請求項７】
上記延出片は、周囲よりも突出するフック部を有し、
上記蓋体保持手段は、上記接続部に設けられ、かつ上記延出片を支えるバックアップ部をさらに含んで構成されており、
上記蓋体保持手段は、上記開口を外部に臨ませるように上記蓋体が回動したときに、上記接続部が折り曲げられた状態にて、上記支持部と上記バックアップ部との間に上記延出片が挟まれ、かつ上記フック部が上記支持部および上記バックアップ部のうち少なくともいずれか一方と係合するように構成されている、請求項４に記載の容器。
【請求項８】
上記蓋体保持手段は、上記円筒部と上記延出片との間に位置し、かつ上記鍔部の内側面に形成された突出部を備え、
上記開口を外部に臨ませるように上記蓋体が回動したときに、上記突出部は上記支持部の外側面に当接する、請求項４に記載の容器。
【請求項９】
上記接続部は、上記第１の端部の近傍に設けられ、上記第１の端部から上記第２の端部に向かう方向に対して直角な方向への屈曲を規制する屈曲規制部と、この屈曲規制部よりも上記第２の端部寄りに設けられ、上記第１の端部から上記第２の端部に向かう方向に対して直角な方向に沿って屈曲しやすい屈曲容易部と、を備える、請求項４に記載の容器。
【請求項１０】
上記接続部は、上記蓋体が上記第２位置をとるときに上記延出片の下端が上記支持体の上端に当接しうるように、上記第１の端部から上記第２の端部に向かう長手方向の長さが設定されており、
上記蓋体が上記第１位置をとるとき、上記延出片のうち上記支持部の上端より下位に位置する部分の上記軸方向の長さが、上記円筒部のうち上記筒状部に嵌まる部分の長さよりも大である、請求項４に記載の容器。
【請求項１１】
上記第１位置をとった上記蓋体の上記容器本体に対する移動抵抗力を与える蓋体仮止め手段を備える、請求項２に記載の容器。
【請求項１２】
上記第１位置をとった上記蓋体の上記容器本体に対する移動抵抗力を与える蓋体仮止め手段を備え、
上記蓋体仮止め手段は、上記蓋体が上記第１位置をとるときに上記延出片の上記フック部と上記支持部とが係合する構成を含む、請求項６に記載の容器。
【請求項１３】
上記蓋体は、上記鍔部に対して上記頂板部の中心を挟んだ反対側位置において上記頂板部の周部の径方向外方に設けられた係止部を備え、
上記容器本体は、上記筒状部の径方向外方に設けられた被係止部を備えており、
上記蓋体仮止め手段は、上記蓋体が上記第１位置をとるときに、上記係止部と上記被係止部とが係合する構成を含む、請求項１１に記載の容器。
【請求項１４】
上記蓋体は、上記頂板部の周部から延びるとともに、上記容器本体の上記筒状部に嵌まる円筒部を有し、
上記容器本体の上記筒状部と上記蓋体の上記円筒部には、その一方に雄ネジが設けられるとともに他方に上記雄ネジと螺合しうる雌ネジが設けられ、
上記接続部の上記第１の端部には、上記容器本体に対して相対回転可能に取り付けられるリング体が設けられており、
上記蓋体は、上記雄ネジと上記雌ネジとが螺合する状態において上記第１位置をとり、上記雄ネジと上記雌ネジとが螺合しない状態において上記第２位置をとる、請求項２に記載の容器。
【請求項１５】
上記蓋体保持手段は、上記鍔部から延びるとともに上記円筒部の外周面との間に隙間を介して設けられた延出片と、上記筒状部の径方向外方において上記リング体に設けられた支持部とを含んで構成されており、
上記蓋体保持手段は、上記開口を外部に臨ませるように上記蓋体が回動したときに、上記延出片が上記支持部に係合するように構成されている、請求項１４に記載の容器。
【請求項１６】
開口をもつ筒状部を有し、有底筒状の容器の開放端部に装着可能なスリーブ体と、上記開口を閉塞可能な蓋体と、上記スリーブ体につながる第１の端部および上記蓋体につながる第２の端部を有する接続部と、を備えた容器用アタッチメントであって、
上記蓋体は、上記開口を塞ぐ頂板部および当該蓋体の周部における所定部位から外方に延びる鍔部を有するとともに、上記鍔部を介して上記接続部の上記第２の端部につながっており、
上記蓋体を、上記鍔部が押し下げられて上記開口を外部に臨ませるように回動した状態で保持する蓋体保持手段を備えることを特徴とする、容器用アタッチメント。
【請求項１７】
上記蓋体は、上記開口を閉塞する第１位置と、上記第１位置に対して上記鍔部が上記筒状部の軸方向に所定距離移動した第２位置と、上記第２位置から上記開口を外部に臨ませるように回動した第３位置とをとることができ、
上記蓋体保持手段は、上記第３位置をとった上記蓋体を保持する、請求項１６に記載の容器用アタッチメント。
【請求項１８】
上記蓋体は、上記頂板部の周部から延びるとともに、上記第１位置をとるときに上記容器の上記開放端部または上記スリーブ体の上記筒状部に嵌まる円筒部を有する、請求項１７に記載の容器用アタッチメント。
【請求項１９】
上記蓋体保持手段は、上記鍔部から延びるとともに上記円筒部の外周面との間に隙間を介して設けられた延出片と、上記筒状部の径方向外方に設けられた支持部とを含んで構成されており、
上記蓋体保持手段は、上記開口を外部に臨ませるように上記蓋体が回動したときに、上記延出片が上記支持部に係合するように構成されている、請求項１８に記載の容器用アタッチメント。
【請求項２０】
上記蓋体保持手段は、上記円筒部の外周面と上記延出片との間に上記支持部が嵌合する構成を含む、請求項１９に記載の容器用アタッチメント。
【請求項２１】
上記延出片は、上記円筒部の外周面に向けて突出するフック部を有し、上記フック部において上記支持部に係合する、請求項１９に記載の容器用アタッチメント。
【請求項２２】
上記延出片は、周囲よりも突出するフック部を有し、
上記蓋体保持手段は、上記接続部に設けられ、かつ上記延出片を支えるバックアップ部をさらに含んで構成されており、
上記蓋体保持手段は、上記開口を外部に臨ませるように上記蓋体が回動したときに、上記接続部が折り曲げられた状態にて、上記支持部と上記バックアップ部との間に上記延出片が挟まれ、かつ上記フック部が上記支持部および上記バックアップ部のうち少なくともいずれか一方と係合するように構成されている、請求項１９に記載の容器用アタッチメント。
【請求項２３】
上記蓋体保持手段は、上記円筒部と上記延出片との間に位置し、かつ上記鍔部の内側面に形成された突出部を備え、
上記開口を外部に臨ませるように上記蓋体が回動したときに、上記突出部は上記支持部の外側面に当接する、請求項１９に記載の容器用アタッチメント。
【請求項２４】
上記接続部は、上記蓋体が上記第２位置をとるときに上記延出片の下端が上記支持体の上端に当接しうるように、上記第１の端部から上記第２の端部に向かう長手方向の長さが設定されており、
上記蓋体が上記第１位置をとるとき、上記延出片のうち上記支持部の上端より下位に位置する部分の上記軸方向の長さが、上記円筒部のうち上記筒状部に嵌まる部分の長さよりも大である、請求項１９に記載の容器用アタッチメント。
【請求項２５】
上記第１位置をとった上記蓋体の上記スリーブ体に対する移動抵抗力を与える蓋体仮止め手段を備える、請求項１７に記載の容器用アタッチメント。
【発明の詳細な説明】
【技術分野】
【０００１】
本発明は、たとえば理化学や生化学の分野において好適に用いられる、容器、および容器用アタッチメントに関する。
【背景技術】
【０００２】
理化学や生化学の分野においては、実験や分析に際して、試料等を封入するための各種容器が使用されている。そのような容器の一種として、マイクロチューブが知られている。一般に、マイクロチューブは、微量の試料を収容可能な容器本体と、この容器本体に取り付けられる蓋体とを有する。容器本体は、開口をもつ筒状部を有し、開口は蓋体によって閉塞可能となっている。容器本体に対する蓋体の取り付け構造としては、蓋体と容器本体とが帯状のヒンジ部（接続部）でつながっており、蓋体を容器本体の筒状部に圧入して装着するプッシュ式のもの（たとえば特許文献１を参照）や、蓋体と容器本体の筒状部とに設けられたネジ機構を利用して蓋体を装着するネジ式のもの（たとえば特許文献２を参照）が知られている。プッシュ式の場合、蓋体が容器本体から脱落することがないので、たとえば片手によって容器本体を保持したまま親指で蓋体を押し上げて外すといった操作が可能となる。一方、ネジ式の場合、片手で蓋体を取り外すのは困難であるが、ネジの締め付けにより、ヒンジ式のものに比べて容器本体内の高い密閉性が確保されるという利点がある。【０００３】
マイクロチューブの使用に際しては、たとえばピペットを用いて容器本体に対して試料の注入ないし採取を行う。ピペットによる試料の注入等を適切に行うためには、筒状部の開口が外部に臨むように開放していることが必要とされる。上記ヒンジ式のマイクロチューブの場合、蓋体を閉じた状態で長時間おかれると、ヒンジ部に癖がついてしまい、蓋体を筒状部から外しても筒状部の開口が外部に十分に臨んでいない場合がある。このような場合には、開口を通じて容器本体に試料の注入等を行うには、たとえば蓋体を指で摘み上げる必要があり、開口の開閉操作の作業性が悪いものとなってしまう。また、蓋体は筒状部に圧入されていることから、蓋体を筒状部から取り外す際に勢い余って容器本体の内容物が外部に飛散する虞れもあり、蓋体の取り外しは慎重に行う必要がある。かかる観点においても、開口の開閉操作の作業性が悪いものとなっていた。【０００４】
一方、ネジ式の場合、開口を通じて容器本体に試料の注入等を行うには、たとえば片手で容器本体を握るとともに他方の片手で蓋体を握り、両手を使ってネジを緩めて、蓋体を容器本体から完全に取り外す必要がある。このため、やはり開口の開閉操作の作業性が悪いものとなっていた。なお、ネジ式において、蓋体と容器本体とが相対回転可能な状態でヒンジ部を介してつなげられたものも知られているが、この場合にも、上述のようにヒンジ部に癖がつくことに起因して開口の開閉操作の作業性悪化を招く。このような開口の開閉操作の作業性の悪化は、多数の容器本体に繰り返し試料の注入を行う場合などにおいてより顕著に表れ、改善が望まれていた。
【先行技術文献】
【特許文献】
【０００５】
【特許文献１】実開平７−３７３３２号公報
【特許文献２】特開２００５−１４５５４１号公報
【発明の概要】
【発明が解決しようとする課題】
【０００６】
本発明は、このような事情のもとで考え出されたものであって、開口をもつ筒状部を有する容器本体と、開口を閉塞可能な蓋体と、容器本体および蓋体をつなぐ接続部とを備える容器において、開口の開閉操作の作業性を改善することを課題とする。また、本発明は、有底筒状の容器に装着可能であり、開口を有するスリーブ体と、開口を閉塞可能な蓋体と、スリーブ体および蓋体をつなぐ接続部とを備える容器用アタッチメントにおいて、開口の開閉操作の作業性を改善することを課題とする。
【課題を解決するための手段】
【０００７】
上記の課題を解決するため、本発明では、次の技術的手段を講じている。【０００８】
本発明の第１の側面によって提供される容器は、開口をもつ筒状部を有する容器本体と、上記開口を閉塞可能な蓋体と、上記容器本体につながる第１の端部および上記蓋体につながる第２の端部を有する接続部と、を備えた容器であって、上記蓋体は、上記開口を塞ぐ頂板部および当該蓋体の周部における所定部位から外方に延びる鍔部を有するとともに、上記鍔部を介して上記接続部の上記第２の端部につながっており、上記蓋体を、上記鍔部が押し下げられて上記開口を外部に臨ませるように回動した状態で保持する蓋体保持手段を備えることを特徴としている。【０００９】
本発明の好ましい実施の形態においては、上記蓋体は、上記開口を閉塞する第１位置と、上記第１位置に対して上記鍔部が上記筒状部の軸方向に所定距離移動した第２位置と、上記第２位置から上記開口を外部に臨ませるように回動した第３位置とをとることができ、上記蓋体保持手段は、上記第３位置をとった上記蓋体を保持する。【００１０】
本発明の一つの実施の形態によれば、上記蓋体は、上記頂板部の周部から延びるとともに、上記第１位置をとるときに上記容器本体の上記筒状部に嵌まる円筒部を有する。【００１１】
本発明の好ましい実施の形態においては、上記蓋体保持手段は、上記鍔部から延びるとともに上記円筒部の外周面との間に隙間を介して設けられた延出片と、上記筒状部の径方向外方に設けられた支持部とを含んで構成されており、上記蓋体保持手段は、上記開口を外部に臨ませるように上記蓋体が回動したときに、上記延出片が上記支持部に係合するように構成されている。好ましくは、上記蓋体保持手段は、上記円筒部の外周面と上記延出片との間に上記支持部が嵌合する構成を含む。より好ましくは、上記延出片は、上記円筒部の外周面に向けて突出するフック部を有し、上記フック部において上記支持部に係合する。【００１２】
本発明の好ましい実施の形態においては、上記延出片は、周囲よりも突出するフック部を有し、上記蓋体保持手段は、上記接続部に設けられ、かつ上記延出片を支えるバックアップ部をさらに含んで構成されており、上記蓋体保持手段は、上記開口を外部に臨ませるように上記蓋体が回動したときに、上記接続部が折り曲げられた状態にて、上記支持部と上記バックアップ部との間に上記延出片が挟まれ、かつ上記フック部が上記支持部および上記バックアップ部のうち少なくともいずれか一方と係合するように構成されている。【００１３】
本発明の好ましい実施の形態においては、上記蓋体保持手段は、上記円筒部と上記延出片との間に位置し、かつ上記鍔部の内側面に形成された突出部を備え、上記開口を外部に臨ませるように上記蓋体が回動したときに、上記突出部は上記支持部の外側面に当接する。【００１４】
本発明の好ましい実施の形態においては、上記接続部は、上記第１の端部の近傍に設けられ、上記第１の端部から上記第２の端部に向かう方向に対して直角な方向への屈曲を規制する屈曲規制部と、この屈曲規制部よりも上記第２の端部寄りに設けられ、上記第１の端部から上記第２の端部に向かう方向に対して直角な方向に沿って屈曲しやすい屈曲容易部と、を備える。【００１５】
本発明の好ましい実施の形態においては、上記接続部は、上記蓋体が上記第２位置をとるときに上記延出片の下端が上記支持体の上端に当接しうるように、上記第１の端部から上記第２の端部に向かう長手方向の長さが設定されており、上記蓋体が上記第１位置をとるとき、上記延出片のうち上記支持部の上端より下位に位置する部分の上記軸方向の長さが、上記円筒部のうち上記筒状部に嵌まる部分の長さよりも大である。【００１６】
本発明の好ましい実施の形態においては、上記第１位置をとった上記蓋体の上記容器本体に対する移動抵抗力を与える蓋体仮止め手段を備える。【００１７】
本発明の好ましい実施の形態においては、上記蓋体仮止め手段は、上記蓋体が上記第１位置をとるときに上記延出片の上記フック部と上記支持部とが係合する構成を含む。【００１８】
本発明の好ましい実施の形態においては、上記蓋体は、上記鍔部に対して上記頂板部の中心を挟んだ反対側位置において上記頂板部の周部の径方向外方に設けられた係止部を備え、上記容器本体は、上記筒状部の径方向外方に設けられた被係止部を備えており、上記蓋体仮止め手段は、上記蓋体が上記第１位置をとるときに、上記係止部と上記被係止部とが係合する構成を含む。【００１９】
本発明の他の実施の形態によれば、上記蓋体は、上記頂板部の周部から延びるとともに、上記容器本体の上記筒状部に嵌まる円筒部を有し、上記容器本体の上記筒状部と上記蓋体の上記円筒部には、その一方に雄ネジが設けられるとともに他方に上記雄ネジと螺合しうる雌ネジが設けられ、上記接続部の上記第１の端部には、上記容器本体に対して相対回転可能に取り付けられるリング体が設けられており、上記蓋体は、上記雄ネジと上記雌ネジとが螺合する状態において上記第１位置をとり、上記雄ネジと上記雌ネジとが螺合しない状態において上記第２位置をとる。【００２０】
本発明の好ましい実施の形態においては、上記蓋体保持手段は、上記鍔部から延びるとともに上記円筒部の外周面との間に隙間を介して設けられた延出片と、上記筒状部の径方向外方において上記リング体に設けられた支持部とを含んで構成されており、上記蓋体保持手段は、上記開口を外部に臨ませるように上記蓋体が回動したときに、上記延出片が上記支持部に係合するように構成されている。【００２１】
本発明の第２の側面によって提供される容器用アタッチメントは、開口をもつ筒状部を有し、有底筒状の容器の開放端部に装着可能なスリーブ体と、上記開口を閉塞可能な蓋体と、上記スリーブ体につながる第１の端部および上記蓋体につながる第２の端部を有する接続部と、を備えた容器用アタッチメントであって、上記蓋体は、上記開口を塞ぐ頂板部および当該蓋体の周部における所定部位から外方に延びる鍔部を有するとともに、上記鍔部を介して上記接続部の上記第２の端部につながっており、上記蓋体を、上記鍔部が押し下げられて上記開口を外部に臨ませるように回動した状態で保持する蓋体保持手段を備えることを特徴としている。【００２２】
本発明の好ましい実施の形態においては、上記蓋体は、上記開口を閉塞する第１位置と、上記第１位置に対して上記鍔部が上記筒状部の軸方向に所定距離移動した第２位置と、上記第２位置から上記開口を外部に臨ませるように回動した第３位置とをとることができ、上記蓋体保持手段は、上記第３位置をとった上記蓋体を保持する。【００２３】
本発明の好ましい実施の形態においては、上記蓋体は、上記頂板部の周部から延びるとともに、上記第１位置をとるときに上記容器の上記開放端部または上記スリーブ体の上記筒状部に嵌まる円筒部を有する。【００２４】
本発明の好ましい実施の形態においては、上記蓋体保持手段は、上記鍔部から延びるとともに上記円筒部の外周面との間に隙間を介して設けられた延出片と、上記筒状部の径方向外方に設けられた支持部とを含んで構成されており、上記蓋体保持手段は、上記開口を外部に臨ませるように上記蓋体が回動したときに、上記延出片が上記支持部に係合するように構成されている。好ましくは、上記蓋体保持手段は、上記円筒部の外周面と上記延出片との間に上記支持部が嵌合する構成を含む。より好ましくは、上記延出片は、上記円筒部の外周面に向けて突出するフック部を有し、上記フック部において上記支持部に係合する。【００２５】
本発明の好ましい実施の形態においては、上記延出片は、周囲よりも突出するフック部を有し、上記蓋体保持手段は、上記接続部に設けられ、かつ上記延出片を支えるバックアップ部をさらに含んで構成されており、上記蓋体保持手段は、上記開口を外部に臨ませるように上記蓋体が回動したときに、上記接続部が折り曲げられた状態にて、上記支持部と上記バックアップ部との間に上記延出片が挟まれ、かつ上記フック部が上記支持部および上記バックアップ部のうち少なくともいずれか一方と係合するように構成されている。【００２６】
本発明の好ましい実施の形態においては、上記蓋体保持手段は、上記円筒部と上記延出片との間に位置し、かつ上記鍔部の内側面に形成された突出部を備え、上記開口を外部に臨ませるように上記蓋体が回動したときに、上記突出部は上記支持部の外側面に当接する。【００２７】
本発明の好ましい実施の形態においては、上記接続部は、上記蓋体が上記第２位置をとるときに上記延出片の下端が上記支持体の上端に当接しうるように、上記第１の端部から上記第２の端部に向かう長手方向の長さが設定されており、上記蓋体が上記第１位置をとるとき、上記延出片のうち上記支持部の上端より下位に位置する部分の上記軸方向の長さが、上記円筒部のうち上記筒状部に嵌まる部分の長さよりも大である。【００２８】
本発明の好ましい実施の形態においては、上記第１位置をとった上記蓋体の上記スリーブ体に対する移動抵抗力を与える蓋体仮止め手段を備える。【００２９】
本発明のその他の特徴および利点は、添付図面を参照して以下に行う詳細な説明によって、より明らかとなろう。
【図面の簡単な説明】
【００３０】
【図１】本発明に係る容器の一例を示す斜視図である。
【図２】図１に示す容器の縦断面図である。
【図３】図１に示す容器の蓋体の非装着状態を示す斜視図である。
【図４】図３の平面図である。
【図５】図１に示す容器の部分拡大側面図である。
【図６】図１に示す容器の使用方法を説明するための図であり、（ａ）は部分斜視図、（ｂ）は部分縦断面図である。
【図７】図１に示す容器の使用方法を説明するための図であり、（ａ）は部分斜視図、（ｂ）は部分縦断面図である。
【図８】図１に示す容器の使用方法を説明するための図であり、（ａ）は部分斜視図、（ｂ）は部分縦断面図である。
【図９】本発明に係る容器の他の例を示す斜視図である。
【図１０】図９に示す容器の側面図である。
【図１１】図９に示す容器の縦断面図である。
【図１２】図９に示す容器の蓋体の非装着状態を示す斜視図である。
【図１３】図１２の縦断面図である。
【図１４】図９に示す容器の使用方法を説明するための部分縦断面図である。
【図１５】図９に示す容器の使用方法を説明するための部分縦断面図である。
【図１６】図９に示す容器の使用方法を説明するための部分縦断面図である。
【図１７】図９に示す容器の使用方法を説明するための部分縦断面図である。
【図１８】図９に示す容器の変形例を示す部分縦断面図である。
【図１９】図９に示す容器の変形例を示す部分縦断面図である。
【図２０】本発明に係る容器の他の例を示す斜視図である。
【図２１】図２０に示す容器の縦断面図である。
【図２２】図２０に示す容器の蓋体の非装着状態を示す斜視図である。
【図２３】図２２の平面図である。
【図２４】図２０に示す容器の使用方法を説明するための部分斜視図である。
【図２５】図２０に示す容器の使用方法を説明するための部分斜視図である。
【図２６】図２０に示す容器の使用方法を説明するための部分斜視図である。
【図２７】図２０に示す容器の変形例を示す縦断面図である。
【図２８】本発明に係る容器用アタッチメントの一例を示す縦断面図である。
【図２９】本発明に係る容器用アタッチメントの一例を示す縦断面図である。
【図３０】本発明に係る容器用アタッチメントの他の例を示す縦断面図である。
【発明を実施するための形態】
【００３１】
以下、本発明の好ましい実施の形態について、図面を参照して具体的に説明する。なお、説明の便宜上、図１を基準として上下の方向を特定することにする。
【００３２】
図１〜図４は、本発明に係る容器をマイクロチューブに適用した場合の一例を示している。本実施形態の容器Ａ１は、微量の試料を収容可能な容器本体１と、この容器本体１に装着される蓋体２と、ループ部３（接続部）とを備えて構成されている。なお、図１および図２は、蓋体２が容器本体１に装着されている状態を示し、図３および図４は、蓋体２が容器本体１に装着されていない状態を示す。
【００３３】
容器本体１は、軸方向に延びる容器部１１と、筒状部１２とを備えている。容器部１１は、試料を収容する部分であり、全体として有底筒状とされている。筒状部１２は、容器部１１の上部に連設されており、上端に開口１２ａを有している。筒状部１２は、容器部１１よりも外径が大である部分を有しており、当該部分は、たとえば容器本体１をスタンドや遠心分離機にセットする際に位置決めの役割を担う。
【００３４】
筒状部１２の外面には、支持部１３が設けられている。支持部１３は、筒状部１２の周部における所定部位から径方向外方に突出しており、ブロック状とされている。支持部１３の上端は、筒状部１２の上端と面一状である。支持部１３の下端には、係合突起１３ａが形成されている。
【００３５】
図２および図５に表れているように、筒状部１２の外面にはまた、径方向外方に突出する円柱状の突起１４（被係止部）が設けられている。突起１４は、支持部１３に対して筒状部１２の中心を挟んで反対側に位置している。
【００３６】
蓋体２は、頂板部２１と、円筒部２２と、鍔部２３と、延出片２４と、係止部２５とを備えている。頂板部２１は、容器本体１の開口１２ａを塞ぐ部分であり、概略円板状とされている。
【００３７】
円筒部２２は、頂板部２１の周部から下方に延びており、容器本体１の筒状部１２の内面側に嵌まる部分である。円筒部２２の下端外周面には、径方向外方に僅かに張り出す張出部を有し、自然状態において、この張出部の外径寸法は、筒状部１２の内径寸法よりも僅かに大とされている。これにより、蓋体２の容器本体１への装着時には、円筒部２２が筒状部１２に圧入される。
【００３８】
鍔部２３は、蓋体２の周部における所定部位に配されており、頂板部２１の周部において円筒部２２の上端から外方に延びるように形成されている。鍔部２３の上面には、凸部２３ａが設けられている。本実施形態では、凸部２３ａは、頂板部２１の周方向に沿って延びるように形成されている。
【００３９】
延出片２４は、鍔部２３の下面から下方に延びており、円筒部２２の外周面との間に隙間を介して設けられている。図２に表れているように、延出片２４の内側面下端には、円筒部２２の外周面に向けて突出するフック部２４ａが設けられている。
【００４０】
係止部２５は、鍔部２３に対して頂板部２１の中心を挟んだ反対側位置に設けられている。図５に表れているように、係止部２５は、頂板部２１の周部の径方向外方において下方に延びる二股状の対をなす分岐片２５ａを有し、各分岐片２５ａの対向する内側部分には、円弧状の凹部２５ｂが形成されている。一対の分岐片２５ａどうしの間隔Ｌ１は、自然状態において、容器本体１の突起１４の外径より小とされている。
【００４１】
図２に示すように、蓋体２が容器本体１に装着されるとき、容器本体１の開口１２ａは蓋体２によって閉塞された状態にある。このとき、蓋体２は、本発明でいう第１位置をとっており、容器本体１の筒状部１２の内周面と蓋体２の円筒部２２の外周面とが圧接することにより、容器Ａ１の密閉性が維持されている。
【００４２】
蓋体２が容器本体１に装着されるとき、延出片２４のフック部２４ａは支持部１３の下端に係合している。このフック部２４ａと支持部１３との係合により、蓋体２は、容器本体１に対する移動抵抗力が付与された状態にある。このようにフック部２４ａと支持部１３とが係合する構成は、本発明でいう蓋体仮止め手段を担う。
【００４３】
図２に示す状態においては、延出片２４のうち支持部１３の上端より下位に位置する部分の軸方向の長さＬ２は、円筒部２２のうち筒状部１２に嵌まる部分の長さＬ３よりも大となっている。
【００４４】
また、蓋体２が容器本体１に装着されるとき、図５に表れているように、係止部２５の対をなす凹部２５ｂに突起１４がすっぽりと嵌まり、係止部２５と突起１４とが係合している。この係止部２５と突起１４との係合により、蓋体２は、容器本体１に対する移動抵抗力が付与された状態にある。このように係止部２５と突起１４とが係合する構成は、本発明でいう蓋体仮止め手段を担う。
【００４５】
ループ部３は、容器本体１と蓋体２とをつなぐためのものであり、所定幅の帯状とされている。図３および図４に表れているように、ループ部３の一方の端部３１は、二股状とされており、平面視において容器本体１の支持部１３と重ならないように当該支持部１３を迂回して容器本体１の筒状部１２の外面につながっている。ループ部３の他方の端部３２は、蓋体２の鍔部２３につながっている。ループ部３において、端部３１から端部３２に向かう長手方向の長さは、延出片２４の下端が支持体１３の上端に当接しうる程度に設定されており、適度なゆとりをもった長さとされている。
【００４６】
ループ部３には、端部３１から端部３２に向かう長手方向に対して直角な方向に沿って屈曲容易部３３が形成されている。屈曲容易部３３は、他の部分と比べて厚みが小であることにより、屈曲しやすくなっている。本実施形態では、屈曲容易部３３は、両端部３１，３２と、長手方向の中央との３箇所に設けられている。ループ部３は、図１および図２に示す状態においては、中央の屈曲容易部３３が屈曲している。
【００４７】
容器本体１、蓋体２、およびループ部３を備えた上記構成の容器Ａ１は、たとえば耐薬品性に優れたポリプロピレン樹脂によって一体成形される。図４の蓋体２が容器本体１に装着されていない状態の容器Ａ１は、成形後の使用前におけるものである。
【００４８】
次に、上記構成の容器Ａ１を使用する方法の一例について図１、図２、および図６〜図８を参照して説明する。
【００４９】
容器本体１内に試料を注入する場合には、まず、図１および図２に示す開口１２ａが閉塞された状態から、たとえば親指により鍔部２３ないしループ部３を押し上げて、図６に示した状態とする。ここでの操作は、フック部２４ａと支持部１３との係合解除を伴うので、適度な抵抗力を伴った操作感をもって行われる。図６に示す状態においては、鍔部２３が筒状部１２の軸方向に所定距離移動しており、蓋体２は、本発明でいう第２位置をとっている。ここで、ループ部３は、中央の屈曲容易部３３が延びきらずに少し屈曲しており、延出片２４は支持部１３上に載っている。より具体的には、延出片２４の下端が支持部１３の上端よりも上位に位置するまで鍔部２３が上昇し、その後、少し下降することにより、延出片２４が支持部１３上に載る。また、蓋体２の円筒部２２は、係止部２５付近（図中左寄り）の部分が筒状部１２に嵌まっている一方、延出片２４付近（図中右寄り）の部分が筒状部１２から外れている。このことは、図２を参照して上述したように、蓋体２が第１位置をとるとき、延出片２４のうち支持部１３の上端より下位に位置する部分の軸方向の長さＬ２が円筒部２２のうち筒状部１２に嵌まる部分の長さＬ３よりも大であることに起因する。
【００５０】
次に、鍔部２３を押し下げることにより、蓋体２を回動させる。まず、たとえば鍔部２３ないしループ部３に親指を掛けて押し下げる。ここで、図７に示すように、延出片２４の下端と支持部１３の上端とが当接しているので、この当接部を中心として蓋体２が回動し、開口１２ａが徐々に開放されてくる。このとき、蓋体２の一対の分岐片２５ａの弾性変形により係止部２５と突起１４との係合が解除されるので、適度な抵抗力を伴った操作感をもって操作される。
【００５１】
鍔部２３をさらに押し下げると、ループ部３の中央が徐々に折れ曲りながら延出片２４が筒状部１２の径方向外方に変位し、延出片２４が支持部１３の外側に回り込む。ここで、延出片２４が支持部１３からずれ落ちるが、蓋体２の回動がある程度進んでいるため、蓋体２の円筒部２２外面が支持部１３に支持される。これにより、蓋体２の回動動作はスムーズに進行する。さらに蓋体２が回動した時点で鍔部２３を筒状部１２の径方向内方に向けて押すことにより、延出片２４の弾性変形を伴いつつ、図８に示すように、円筒部２２の外周面と延出片２４との間に支持部１３の上下両端が嵌合し、蓋体２は、図１および図２に示す状態から約９０°回動した起立姿勢で保持される。このとき、開口１２ａは外部に臨むように完全に開放しており、蓋体２は、本発明でいう第３位置をとっている。なお、図８に示す状態において、支持部１３の係合突起１３ａと延出片２４のフック部２４ａとが係合しており、これにより、蓋体２が保持された状態は適切に維持される。
【００５２】
このようなことから理解できるように、蓋体２は、図１および図２に示すように容器本体１に装着された状態（第１位置）から、たとえば片手（親指）での操作によって鍔部２３を押し上げることにより、図６に示す第２位置をとらせることができる。次いで鍔部２３を押し下げることにより、蓋体２は、図８に示す第３位置をとらせることができる。蓋体２が第３位置をとるときには、容器本体１の筒状部１２の開口１２ａが外部に臨む状態にあり、また、蓋体２の円筒部２２と延出片２４との間に容器本体１の支持部１３が嵌合することにより、蓋体２は適切に保持されているため、容器本体１に対する試料の注入等を他方の片手を使って適切に行うことができる。
【００５３】
そして、試料の注入等を終えた後には、図１、図２、および図６〜図８を参照して上述した手順と反対の操作を行うことにより、第３位置をとる蓋体２を回動させて迅速に第１位置に戻すことができる。より具体的には、蓋体２の鍔部２３ないし頂板部２１を押さえながら当該蓋体２を容易に回動させることができる。このように、本実施形態の容器Ａ１によれば、蓋体２を回動させることにより、開口１２ａが開いた状態と閉じた状態とを迅速かつ適切に切り替えることができ、開口１２ａの開閉操作ないし容器本体１に対する試料の注入等の作業性を改善することができる。
【００５４】
蓋体２は、鍔部２３を介してループ部３につながっているため、鍔部２３の押し上げ、押し下げといった連続操作により、第１位置をとる状態から第２位置を経て第３位置まで迅速に変位させることができる。すなわち、第１位置をとる蓋体２について、第２位置をとらせて、次いで第３位置をとらせるといった一連の操作を効率よく行うことができる。このことは、開口１２ａの開閉操作の作業性改善に資する。
【００５５】
開口１２ａを開く際には、鍔部２３の押し上げ、押し下げといった２アクションの操作により、蓋体２が容器本体１から取り外される。このとき、蓋体２は、径方向において中心を挟んで相対向する両側２箇所（鍔部２３が設けられた箇所と係止部２５が設けられた箇所）について、その一方側、他方側が順次持ち上げられることになる。より具体的には、開口１２ａを開くために行う最初の操作（初動操作）は、第１位置をとる蓋体２に対して、鍔部２３ないしループ部３が設けられた箇所を押し上げる操作である。すなわち、上記初動操作は、蓋体２が第２位置から第３位置まで回動させられる、開口１２ａを十分に開く際の回動操作とは反対方向の回動操作であり、ループ部３が延びたところで初動操作は規制される。このため、上記初動操作において蓋体２が容器本体１から一気に外れてしまうことはない。したがって、容器Ａ１の密閉性を高めるべく、蓋体２が容器本体１の筒状部１２にきつく圧入されるように設定しても、蓋体２を外すときに勢い余って容器本体１の内容物が外部に飛散するといった不都合を回避することができる。また、たとえば親指を用いて鍔部２３を押し上げる操作の際には、ループ部３にガードされることにより、円筒部２２周辺や開口１２ａ周辺に指が接触することはない。
【００５６】
蓋体２は、第３位置をとるとき、略直立した起立姿勢となっているため、容器本体１の径方向外方に大きくはみ出すことはない。したがって、たとえば、開口１２ａを開けた状態の複数の容器Ａ１をスタンドに配列させるような場合においても、蓋体２が邪魔になることはない。
【００５７】
容器本体１の開口１２ａの開閉操作は、蓋体２の頂板部２１、鍔部２３およびループ部３にのみ指を触れることにより行うことができる。したがって、開口１２ａの開閉操作に伴って指が不当に開口１２ａ周辺に接触することはなく、容器本体１の内容物が汚染されるといった不都合を適切に防止することができる。
【００５８】
容器本体１と蓋体２とは、鍔部２３を介してループ部３によりつながっている。このため、鍔部２３を押し下げることにより蓋体２が回動させられる際には、ループ部３は適度に屈曲しながら蓋体２の回動動作をサポートするので、蓋体２の回動動作を安定させることができる。
【００５９】
また、ループ部３には、長手方向に直角な方向に沿う屈曲容易部３３が設けられている。このため、蓋体２の回動時には、屈曲容易部３３が節として屈曲し、ループ部３の捻れが防止される。かかる観点からも、蓋体２の回動動作が安定する。
【００６０】
本実施形態では、鍔部２３の上面に凸部２３ａが設けられているため、鍔部２３に掛けた指が滑るのを防止することができる。したがって、蓋体２の回動動作をより安定かつ確実に行わせることができる。
【００６１】
本実施形態においてはさらに、フック部２４ａと支持部１３との係合、および係止部２５と突起１４との係合による蓋体仮止め手段が設けられているため、容器本体１に装着された蓋体２が不用意に緩むことは防止される。
【００６２】
図９〜図１３、および図２０〜図２３は、本発明に係る容器の他の例を示している。なお、これらの図においては、上記実施形態と同一または類似の要素には、上記実施形態と同一の符号を付しており、適宜説明を省略する。
【００６３】
図９〜図１３に示された容器Ａ２においては、上記実施形態の容器Ａ１に比べて、蓋体保持手段を担う部分、蓋体仮止め手段を担う部分およびループ部３の構成が大きく異なっており、その他種々の変更が施されている。図９〜図１１は、蓋体２が容器本体１に装着された状態を示し、図１２および図１３は、蓋体２が容器本体１に装着されていない状態を示す。図１２および図１３の蓋体２が容器本体１に装着されていない状態の容器Ａ２は、成形後の使用前におけるものである。
【００６４】
容器Ａ２においては、ループ部３は、一方の端部３１の近傍に設けられた屈曲規制部３４と、バックアップ部３５と、屈曲容易部３６とを有しており、長手方向の全長にわたって略一様の厚みとされている。成形後におけるループ部３は、図１２および図１３から理解されるように、一方の端部３１が容器本体１の筒状部１２の上端付近の外面につながっており、この端部３１から二股状で下垂し、Ｊ字状に屈曲させられている。このＪ字状の屈曲部分が屈曲規制部３４である。屈曲規制部３４は、ループ部３の長手方向に対して直角な方向（図１３においてループ部３が上方へ変位する方向）への屈曲を規制する部分である。屈曲規制部３４の意義については後述する。
【００６５】
バックアップ部３５は、蓋体２が第３位置をとるときに、延出片２４を下から支えるためのものである。図１３から理解されるように、本実施形態では、バックアップ部３５は、ループ部３のうち二股状とされる部分の基端における、ループ部３の幅方向中央の縁によって構成される。バックアップ部３５は、蓋体保持手段を担う。
【００６６】
図１２および図１３に表れているように、屈曲容易部３６は、屈曲規制部３４よりも他方の端部３２寄りに設けられている。本実施形態の屈曲容易部３６は、ループ部３の長手方向の中央部において概略Ｌ字状とされた構成を有する。屈曲容易部３６の意義については後述する。
【００６７】
図１２および図１３に表れているように、鍔部２３の内側面には、突出部２６が形成されている。詳細については後述するが、この突出部２６は、蓋体２が第３位置をとるときに支持部１３の外側面に当接しうるものであり、蓋体保持手段を担う。なお、容器本体１の筒状部１２ないし支持部１３には、蓋体２が第１位置をとるときに突出部２６を収容するための凹部１７が形成されている。また、本実施形態では、上記実施形態における鍔部２３の凸部２３ａは設けられておらず、これに代えてループ部３の外側面に凸部３７が設けられている。
【００６８】
容器本体１において、筒状部１２の外面には、上記実施形態の突起１４に代えて、凹段部１５（被係止部）が設けられている。また、筒状部１２の外面には、凹段部１５の下方において突部１６が設けられている。
【００６９】
容器Ａ２においては、蓋体２の係止部２５は、図１１および図１２に表れているように、下方に延びる部分円筒壁により構成されており、図１１に示すように、蓋体２が第１位置をとるとき、当該部分円筒壁の内側面と円筒部２２の外周面との間には僅かな隙間を有する。係止部２５は、係止突部２５ｃと延出部２５ｄとを有している。延出部２５ｄは、係止部２５の周方向における両端にそれぞれ設けられており、係止突部２５ｃは、これら延出部２５ｄに挟まれている。
【００７０】
蓋体２が第１位置をとるとき、係止突部２５ｃは、径方向内方に突出し、容器本体１の凹段部１５と係合している。また、延出部２５ｄは、筒状部１２の軸方向に沿って下方に延びている。延出部２５ｄの下端は、容器本体１の突部１６に近接している。
【００７１】
容器Ａ２においては、開口１２ａが開いた状態にするには、まず、図９〜図１１に示す開口１２ａが閉塞された状態から、鍔部２３ないしループ部３を押し上げることにより、図１４に示した状態を経て、図１５に示した状態にする。ここでの操作は、フック部２４ａと支持部１３との係合解除を伴うので、適度な抵抗力を伴った操作感をもって行われる。
【００７２】
図１５に示す状態では、蓋体２が筒状部１２の軸方向に所定距離移動しており、蓋体２は、本発明でいう第２位置をとっている。ここで、延出片２４は支持部１３上に載っている。より詳細には、延出片２４は円筒部２２の径方向内方に向けて押されており、鍔部２３ないしループ部３は自然状態に比べて少し撓んでいる。
【００７３】
蓋体２が図１５に示す第２位置をとるとき、蓋体２の係止部２５は、下方に向かうほど筒状部１２の径方向内方に位置するように傾斜している。ここで、延出部２５ｄの下端は、筒状部１２の外周面と当接し、あるいは、突部１６と当接することにより、筒状部１２の径方向外方に向けて弾性的に変位しており、係止突部２５ｃと凹段部１５との係合が解除されている。
【００７４】
次に、鍔部２３を押し下げることにより、蓋体２を回動させる。蓋体２の回動は、たとえばループ部３の凸部３７ないし鍔部２３に親指を掛けて押し下げることにより行う。ここで、図１６に示すように、延出片２４の下端と支持部１３とが当接しているので、この当接部を中心として蓋体２が回動し、開口１２ａが徐々に開放されてくる。
【００７５】
また、本実施形態では、蓋体２が第２位置をとるとき、上述したように係止突部２５ｃと凹段部１５との係合による仮止め状態が解除されているため、蓋体２を第２位置から回動させる際の操作性に優れている。
【００７６】
なお、筒状部１２に対する円筒部２２の圧入の程度が比較的に緩い場合には、上述の図１５に示した状態において鍔部２３ないしループ部３に添えている指を離すと、鍔部２３ないしループ部３の弾性復元力により、図１６に示した程度まで蓋体２が自動的に回動することもある。
【００７７】
鍔部２３をさらに押し下げると、ループ部３が徐々に折れ曲りながら延出片２４が筒状部１２の径方向外方に変位し、延出片２４が支持部１３の外側に回り込む。ここで、延出片２４が支持部１３からずれ落ちるが、蓋体２の回動がある程度進んでいるため、蓋体２の円筒部２２外面が筒状部１２ないし支持部１３に支持される。これにより、蓋体２の回動動作はスムーズに進行する。さらに蓋体２が回動した時点で鍔部２３を筒状部１２の径方向内方に向けて押すことにより、図１７に示すように、容器本体１の支持部１３とループ部３のバックアップ部３５との間に、略水平姿勢の延出片２４が挟まれており、蓋体２は、図９〜図１１に示す状態から約９０°回動した起立姿勢（直立姿勢）で保持される。このとき、開口１２ａは外部に臨むように完全に開放しており、蓋体２は、本発明でいう第３位置をとっている。より詳細には、図１７に示す状態において、屈曲状態にあるループ部３の弾性復元力により、バックアップ部３５は延出片２４を下から支えており、また、支持部１３の係合突起１３ａと延出片２４のフック部２４ａとが係合している。これにより、蓋体２が保持された状態は適切に維持される。
【００７８】
さらに、蓋体２が図１７に示す直立姿勢をとるとき、鍔部２３の内側面に設けられた突出部２６は、支持部１３の外側面に当接している。この突出部２６と支持部１３との当接により、蓋体２が閉じる方向に傾くことは防止され、蓋体２が直立姿勢をとる状態は、より適切に保持される。
【００７９】
このようなことから理解できるように、蓋体２は、図９〜図１１に示すように容器本体１に装着された状態（第１位置）から、たとえば片手（親指）での操作によって鍔部２３を押し上げることにより、図１５に示す第２位置をとらせることができる。次いで鍔部２３を押し下げることにより、蓋体２は、図１７に示す第３位置をとらせることができる。蓋体２が第３位置をとるときには、容器本体１の筒状部１２の開口１２ａが外部に臨む状態にある。また、支持部１３とループ部３のバックアップ部３５との間に略水平姿勢の延出片２４が挟まれており、突出部２６と支持部１３とが当接している。したがって、バックアップ部３５および延出片２４、延出片２４および支持部１３、ならびに突出部２６および支持部１３の当接により、蓋体２は、３点支持によって直立姿勢で適切に保持されているので、容器本体１に対する試料の注入等を他方の片手を使って適切に行うことができる。
【００８０】
なお、蓋体２が図１７に示す第３位置をとるとき、蓋体２の円筒部２２と容器本体１の支持部１３とは、接触していてもよいし、あるいは円筒部２２と支持部１３との間に僅かな隙間があってもよい。円筒部２２と支持部１３との間に隙間がある場合でも、蓋体２は、上記の３点支持によって適切に直立姿勢で適切に保持される。また、蓋体２が図１７に示す第３位置をとるとき、バックアップ部３５と延出片２４とは必ずしも当接していなくてもよく、バックアップ部３５と延出片２４との間に僅かな隙間があってもよい。バックアップ部３５と延出片２４との間に隙間がある場合でも、屈曲状態にあるループ部３の弾性復元力により、このループ部３の近傍にある延出片２４が上方に付勢されて支持部１３に係合する。延出片２４が支持部１３に係合することにより、蓋体２は、図９〜図１１に示す状態から約９０°回動した起立姿勢で保持される。
【００８１】
そして、試料の注入等を終えた後には、図９〜図１１、および図１４〜図１７を参照して上述した手順と反対の操作を行うことにより、第３位置をとる蓋体２を回動させて迅速に第１位置に戻すことができる。より具体的には、蓋体２の鍔部２３ないし頂板部２１を押さえながら当該蓋体２を容易に回動させることができる。このように、本実施形態の容器Ａ２によれば、蓋体２を回動させることにより、開口１２ａが開いた状態と閉じた状態とを迅速かつ適切に切り替えることができ、開口１２ａの開閉操作ないし容器本体１に対する試料の注入等の作業性を改善することができる。
【００８２】
蓋体２は、鍔部２３を介してループ部３につながっているため、鍔部２３の押し上げ、押し下げといった連続操作により、第１位置をとる状態から第２位置を経て第３位置まで迅速に変位させることができる。すなわち、第１位置をとる蓋体２について、第２位置をとらせて、次いで第３位置をとらせるといった一連の操作を効率よく行うことができる。このことは、開口１２ａの開閉操作の作業性改善に資する。
【００８３】
開口１２ａを開く際には、鍔部２３の押し上げ、押し下げといった２アクションの操作により、蓋体２が容器本体１から取り外される。このとき、蓋体２は、径方向において中心を挟んで相対向する両側２箇所（鍔部２３が設けられた箇所と係止部２５が設けられた箇所）について、その一方側、他方側が順次持ち上げられることになる。より具体的には、開口１２ａを開くために行う最初の操作（初動操作）は、第１位置をとる蓋体２に対して、鍔部２３ないしループ部３が設けられた箇所を押し上げる操作である。すなわち、上記初動操作は、蓋体２が第２位置から第３位置まで回動させられる、開口１２ａを十分に開く際の回動操作とは反対方向の回動操作であり、ループ部３が延びたところで初動操作は規制される。このため、上記初動操作において蓋体２が容器本体１から一気に外れてしまうことはない。したがって、容器Ａ２の密閉性を高めるべく、蓋体２が容器本体１の筒状部１２にきつく圧入されるように設定しても、蓋体２を外すときに勢い余って容器本体１の内容物が外部に飛散するといった不都合を回避することができる。また、たとえば親指を用いて鍔部２３を押し上げる操作の際には、ループ部３にガードされることにより、円筒部２２周辺や開口１２ａ周辺に指が接触することはない。
【００８４】
蓋体２は、第３位置をとるとき、略直立した起立姿勢となっているため、容器本体１の径方向外方に大きくはみ出すことはない。したがって、たとえば、開口１２ａを開けた状態の複数の容器Ａ２をスタンドに配列させるような場合においても、蓋体２が邪魔になることはない。
【００８５】
容器本体１の開口１２ａの開閉操作は、蓋体２の頂板部２１、鍔部２３およびループ部３にのみ指を触れることにより行うことができる。したがって、開口１２ａの開閉操作に伴って指が不当に開口１２ａ周辺に接触することはなく、容器本体１の内容物が汚染されるといった不都合を適切に防止することができる。
【００８６】
容器本体１と蓋体２とは、鍔部２３を介してループ部３によりつながっている。このため、鍔部２３を押し下げることにより蓋体２が回動させられる際には、ループ部３は適度に屈曲しながら蓋体２の回動動作をサポートするので、蓋体２の回動動作を安定させることができる。
【００８７】
本実施形態では、ループ部３の外側面に凸部３７が設けられているため、鍔部２３ないしループ部３に掛けた指が滑るのを防止することができる。したがって、蓋体２の回動動作をより安定かつ確実に行わせることができる。
【００８８】
本実施形態においては、フック部２４ａと支持部１３との係合、および係止突部２５ｃ（係止部２５）と凹段部１５との係合による蓋体仮止め手段が設けられているため、容器本体１に装着された蓋体２が不用意に緩むことは防止される。
【００８９】
本実施形態の容器Ａ２において、ループ部３は、端部３１の近傍に設けられた屈曲規制部３４と、屈曲規制部３４よりも端部３２寄りに設けられた屈曲容易部３６とを有する。これにより、図１２および図１３に示す成形後の状態から蓋体２を回動させて、開口１２ａを閉めた状態にする際には、ループ部３の長手方向の長さがゆとりをもった長さとされているにも関わらず、屈曲規制部３４により端部３１近傍が過度に屈曲するのが防止される一方、屈曲容易部３６によりループ部３が折り畳み状に大きく屈曲される。その結果、蓋体２の円筒部２２が容器本体１の筒状部１２に適切に嵌るようにコントロールされる。
【００９０】
図１８および図１９は、本実施形態の容器Ａ２の変形例を示す。図１８および図１９は、いずれも蓋体が第３位置をとる状態を表す。図１８において、延出片２４は、図中下側に設けられたフック部２４ｂを有し、フック部２４ｂおよびバックアップ部３５が係合している。また、図１９において、延出片２４は、図中上側と下側とに設けられたフック部２４ａ，２４ｂを有し、フック部２４ａおよび係合突起１３ａ、ならびにフック部２４ｂおよびバックアップ部３５がそれぞれ係合している。図１８、図１９に示す場合においても蓋体２が直立姿勢をとる状態は適切に保持される。
【００９１】
図２０〜図２３に示された容器Ａ３においては、上記実施形態の容器Ａ１に比べて、容器本体１への蓋体２の装着のためのネジ機構を具備する点が大きく異なっており、これに伴い種々の変更が施されている。詳細については後述するが、図２０および図２１は、蓋体２が容器本体１に装着された状態を示し、図２２および図２３は、蓋体２が容器本体１に装着されていない状態を示す。
【００９２】
容器本体１においては、筒状部１２の外周面に雄ネジ１２ｂが形成されている。この雄ネジ１２ｂは、図面に詳細は表れていないが、たとえばネジ山数が２つである２条ネジによって構成されており、上端寄りの部分（螺合し始める部分）のネジ山の高さが相対的に低くされている。また、本実施形態では、上記実施形態における支持部１３が設けられておらず、これに相当する部分は後述するリング体３８に設けられている。
【００９３】
蓋体２においては、円筒部２２の内周面に、上記した筒状部１２の雄ネジ１２ｂが螺合しうる雌ネジ２２ａが形成されている。また、頂板部２１の下面には、下方に延びる環状壁２１ａが設けられている。この環状壁２１ａは、蓋体２の容器本体１への装着時に筒状部１２の内側に入る部分である。環状壁２１ａと円筒部２２との間には、たとえばＯリング２７が介装されている。また、本実施形態においては、延出片２４は、フック部を有しておらず、上記実施形態とは異なり、鉤状とされていない。なお、本実施形態では、容器本体１への蓋体２の装着にネジ機構を採用することに伴い、上記実施形態において蓋体仮止め手段を担う係止部２５や突起１４（被係止部）が設けられていない。
【００９４】
本実施形態においては、蓋体２およびループ部３は一体形成されるが、これらと容器本体１とは、別体に形成されている。具体的には、ループ部３の端部３１には、円筒状のリング体３８が設けられている。リング体３８は、容器本体１の容器部１１に外嵌されるとともに、容器部１１の外面に形成されたフランジ部１１ａと抜止め突部１１ｂとの間に遊嵌された状態となっている。これにより、リング体３８およびこれと一体形成される蓋体２は、容器本体１に対して相対回転可能となっている。本実施形態では、鍔部２３に設けられた凸部２３ａに加えて、ループ部３の外側面にも凸部３７が設けられている。
【００９５】
リング体３８には、端部３１につながるようにして支持部３９が設けられている。支持部３９の上部３９ａの幅（リング体３８周方向寸法）は、ループ部３の幅と同程度とされており、支持部３９の下部３９ｂの幅は、ループ部３の幅より小とされている。支持部３９の厚み（軸方向寸法）は、蓋体２の円筒部２２と延出片２４との間隔に対応する寸法とされている。ループ部３の端部３１は、支持部３９の下部３９ｂの幅に対応する切欠きが設けられて二股状とされている。
【００９６】
図２０および図２１は、ネジを締め付けることにより、蓋体２によって開口１２ａが閉塞された状態を示す。このとき、蓋体２は、本発明でいう第１位置をとっており、蓋体２の雌ネジ２２ａと容器本体１の雄ネジ１２ｂとが圧接し、Ｏリング２７のシール作用により、容器本体１について高い密閉性が実現される。このように高い密閉性を有する容器Ａ３は、たとえば試料を冷凍保存する場合や長期間保存する場合において好適に用いられる。
【００９７】
容器Ａ３においては、開口１２ａが開いた状態にするには、まず、図２０および図２１に示す開口１２ａが閉塞された状態から、蓋体２を円筒部２２の軸回りに回転させて、ネジを緩める。ここで、蓋体２には、頂板部２１の外方に延びる鍔部２３が設けられている。これにより、たとえば容器本体１を親指以外の指で握りながら鍔部２３に親指を掛けることによって、蓋体２およびループ部３を円筒部２２の軸回りに回転させることができる。したがって、ネジを締める操作を片手で行うことができ、蓋体２の操作性に優れる。
【００９８】
そして、蓋体２の雌ネジ２２ａと容器本体１の雄ネジ１２ｂとが螺合しなくなるまで蓋体２を回転させると、蓋体２は、図２４に示した第２位置をとる。
【００９９】
次いで、鍔部２３を押し下げることにより、蓋体２を回動させる。まず、図２５に示すように、たとえば図中右側の鍔部２３ないしループ部３を親指によって押し下げる。これにより、容器本体１の筒状部１２の外周面と蓋体２の円筒部２２の内周面とが当接し、この当接部を中心として蓋体２が回動する。ここで、蓋体２の雌ネジ２２ａおよび容器本体１の雄ネジ１２ｂは、ネジ山数が２つの２条ネジによって構成されているため、蓋体２を約１周回転させると、ネジが螺合しなくなる。したがって、鍔部２３の操作により、蓋体２は、回転動作から回動動作へとスムーズに移行させることができる。
【０１００】
鍔部２３をさらに押し下げると、ループ部３の中央が徐々に折れ曲りながら蓋体２の延出片２４が筒状部１２の径方向外方に変位し、延出片２４が支持部３９の外側に回り込む。さらに蓋体２が回動すると、図２６に示すように、円筒部２２の外周面と延出片２４との間に支持部３９の上下両端が嵌合し、蓋体２は、図２０および図２１に示す状態から約９０°回動した起立姿勢で保持される。このとき、開口１２ａは外部に臨むように完全に開放しており、蓋体２は、本発明でいう第３位置をとっている。
【０１０１】
このようなことから理解できるように、蓋体２は、図２０および図２１に示すように容器本体１に装着された状態（第１位置）から、たとえば片手（親指）での操作によって回転させることにより、図２４に示す第２位置をとらせることができる。次いで鍔部２３を押し下げることにより、蓋体２は、図２６に示す第３位置をとらせることができる。蓋体２が第３位置をとるときには、容器本体１の筒状部１２の開口１２ａが外部に臨む状態にあり、また、蓋体２の円筒部２２と延出片２４との間にリング体３８の支持部３９が嵌合することにより、蓋体２は適切に保持されているため、容器本体１に対する試料の注入等を他方の片手を使って適切に行うことができる。
【０１０２】
試料の注入等を終えた後には、図２０、図２１、および図２４〜図２６を参照して上述した手順と反対の操作を行うことにより、第３位置をとる蓋体２を迅速に第１位置に戻すことができる。より具体的には、第３位置をとる蓋体２について、鍔部２３ないし頂板部２１を押さえながら当該蓋体２を容易に回動させることができ、図２４に示す第２位置をとらせることができる。ここで、蓋体２を下方に軽く押し込めば、雌ネジ２２ａの一部が雄ネジ１２ｂの一部（上端寄りのネジ山が低い部分）を超えて、ネジ山が部分的に螺合する状態になる。引き続き、蓋体２を回転させることにより、第１位置をとらせることができる。このように、本実施形態の容器Ａ３によれば、開口１２ａが開いた状態と閉じた状態とを迅速かつ適切に切り替えることができ、開口１２ａの開閉操作ないし容器本体１に対する試料の注入等の作業性を改善することができる。
【０１０３】
蓋体２は、第３位置をとるとき、略直立した起立姿勢となっているため、容器本体１の径方向外方に大きくはみ出すことはない。したがって、たとえば、開口１２ａを開けた状態の複数の容器Ａ３をスタンドに配列させるような場合においても、蓋体２が邪魔になることはない。
【０１０４】
容器本体１の開口１２ａの開閉操作は、蓋体２の頂板部２１、鍔部２３およびループ部３にのみ指を触れることにより行うことができる。したがって、開口１２ａの開閉操作に伴って指が不当に開口１２ａ周辺に接触することはなく、容器本体１の内容物が汚染されるといった不都合を適切に防止することができる。
【０１０５】
容器本体１と蓋体２とは、鍔部２３、リング体３８を介してループ部３によりつながっている。このため、鍔部２３を押し下げることにより蓋体２が回動させられる際には、ループ部３は適度に屈曲しながら蓋体２の回動動作をサポートするので、蓋体２の回動動作を安定させることができる。
【０１０６】
また、ループ部３には、長手方向に直角な方向に沿う屈曲容易部３３が設けられている。このため、蓋体２の回動時には、屈曲容易部３３が節として屈曲し、ループ部３の捻れが防止される。かかる観点からも、蓋体２の回動動作が安定する。
【０１０７】
本実施形態では、鍔部２３の凸部２３ａおよびループ部３の凸部３７が設けられているため、鍔部２３ないしループ部３に掛けた指が滑るのを防止することができる。したがって、蓋体２の回動動作をより安定かつ確実に行わせることができる。
【０１０８】
なお、ネジ機構を具備する容器Ａ３においては、延出片２４にフック部を設けてもよい。フック部を設ける場合には、たとえば図２７に示すように、蓋体２が第３位置をとるとき、フック部２４ａが支持部３９の下部３９ｂに係合し、蓋体２は、起立姿勢で適切に保持される。
【０１０９】
図２８および２９は、本発明に係る容器用アタッチメントの一例を示している。容器用アタッチメントＢは、スリーブ体１’と、蓋体２と、ループ部３とを備えて構成されており、有底筒状の容器Ｃに装着して使用するものである。
【０１１０】
スリーブ体１’は、上記実施形態の容器Ａ２における容器本体１の容器部１１に代えて、容器Ｃに装着するための下方端部１８を備えている。下方端部１８の内径は筒状部１２の内径よりも大とされており、スリーブ体１’は、下方端部１８を容器Ｃの上端の開放端部４に外嵌することにより、容器Ｃに装着可能となっている。容器Ｃについては、たとえば、試験管や遠心管が用いられる。ここで、スリーブ体１’の下方端部１８は容器Ｃの開放端部４に圧入されている。また、図２８に示すように、蓋体２の円筒部２２は、第１位置をとるときに容器Ｃの開放端部４の内側に圧入されている。これにより、容器Ｃと蓋体２との間の密封性が確保されている。スリーブ体１’については、たとえば図３０に示すように、筒状部１２の軸方向の長さを図２８に示すものよりも長くし、蓋体２の円筒部２２がスリーブ体１’の筒状部１２に嵌まるように構成してもよい。なお、スリーブ体１’の下方端部１８は、容器Ｃの開放端部４に内嵌する構成であってもよく、あるいはネジ機構により容器Ｃの開放端部に装着する構成としてもよい。
【０１１１】
スリーブ体１’における下方端部１８以外の構成（筒状部１２、支持部１３など）は、上記した容器Ａ２における容器本体１の構成と同様である。また、容器用アタッチメントＢにおける蓋体２およびループ部３の構成は、上記の容器Ａ２における蓋体２およびループ部３の構成と同様である。なお、図２８〜図３０においては、上記実施形態の容器Ａ２と同一または類似の要素には、上記実施形態と同一の符号を付している。
【０１１２】
本実施形態の容器用アタッチメントＢにおいても、鍔部２３ないしループ部３の押し上げ、押し下げによる連続操作により、第１位置をとる蓋体２（図２８参照）を第２位置を経て第３位置（図２９参照）まで変位可能であること、第３位置（直立姿勢）をとる蓋体２を蓋体保持手段により保持可能であること、等は、上記実施形態に係る容器Ａ２と同様に可能である。したがって、本実施形態に係る容器用アタッチメントＢは、上記実施形態に係る容器Ａ２について上述したのと同様の利点を享受できる。
【０１１３】
以上、本発明の具体的な実施形態を説明したが、本発明はこれに限定されるものではなく、発明の思想から逸脱しない範囲内で種々な変更が可能である。本発明に係る容器および容器用アタッチメントの各部の具体的な形状や材質なども、上記実施形態に限定されるものではない。
【０１１４】
上記実施形態においては、蓋体２に設けられた円筒部２２は、筒状部１２の内側に嵌まるように構成されていたが、これに代えて、蓋体２の円筒部は、筒状部の外側に嵌まる構成としてもよい。また、蓋体２は、円筒部２２よりも径方向外方に位置し、筒状部１２の外側の少なくとも一部を覆うための垂れ下がり部を追加的に備えるものでもよい。
【０１１５】
蓋体２に設けられた鍔部２３と、この鍔部２３につながるループ部３（接続部）とは、必ずしも厚みや幅を変える必要はない。鍔部２３およびループ部３は、同略一の幅および厚みをもって一様につながる構成としてもよい。
【０１１６】
上記実施形態の容器Ａ２では、ループ部３の屈曲容易部３６は、略一様の厚み概略Ｌ字状とされていたが、これに限定されない。たとえばループ部３に孔を形成することによって屈曲容易部を構成してもよい。
【０１１７】
上記実施形態では、鍔部２３は、円筒部２２の上端から蓋体２の周部の外方に延びるように形成されていたが、これに限定されない。蓋体に設けられる鍔部は、頂板部から下垂する円筒部の中間あるいは下端から外方に向いて延びていてもよい。
【０１１８】
上記実施形態の容器Ａ３では、容器本体１側に雄ネジ１２ｂを設け、蓋体２側に雌ネジ２２ａを設けた構成をネジ機構の例として挙げたが、これとは反対に、容器本体側に雌ネジを設け、蓋体側に雄ネジを設けた構成としてもよい。
【０１１９】
上記実施形態では、本発明に係る容器をマイクロチューブに適用した場合を例に挙げて説明したが、本発明は他の種類の容器にも適用することができる。たとえば遠心管、試験管、フラスコ、細胞培養チューブ、バイアル容器、投薬容器、あるいは調味料容器などの、容器本体と蓋体とを有する容器に適用可能である。
【０１２０】
上記実施形態においては、容器本体１あるいはスリーブ体１’の開口１２ａは、容器部１１あるいは容器Ｃの内径と略同等のサイズとされていたが、これに限定されるものではない。たとえば、開口１２ａは、容器部１１あるいは容器Ｃの内径よりもサイズが小となるように絞られていてもよい。このように開口１２ａが絞られた、本発明に係る容器、あるいは本発明に係る容器用アタッチメントが装着される容器は、たとえば投薬容器や調味料容器として好適に用いることができる。
【０１２１】
以上のまとめとして、本発明の構成およびそのバリエーションを以下に付記として列挙する。
（付記１）
開口をもつ筒状部を有する容器本体と、上記開口を閉塞可能な蓋体と、上記容器本体につながる第１の端部および上記蓋体につながる第２の端部を有する接続部と、を備えた容器であって、
上記蓋体は、上記開口を塞ぐ頂板部および当該蓋体の周部における所定部位から外方に延びる鍔部を有するとともに、上記鍔部を介して上記接続部の上記第２の端部につながっており、
上記蓋体を、上記鍔部が押し下げられて上記開口を外部に臨ませるように回動した状態で保持する蓋体保持手段を備えることを特徴とする、容器。
（付記２）
上記蓋体は、上記開口を閉塞する第１位置と、上記第１位置に対して上記鍔部が上記筒状部の軸方向に所定距離移動した第２位置と、上記第２位置から上記開口を外部に臨ませるように回動した第３位置とをとることができ、
上記蓋体保持手段は、上記第３位置をとった上記蓋体を保持する、付記１に記載の容器。
（付記３）
上記蓋体は、上記頂板部の周部から延びるとともに、上記第１位置をとるときに上記容器本体の上記筒状部に嵌まる円筒部を有する、付記２に記載の容器。
（付記４）
上記蓋体保持手段は、上記鍔部から延びるとともに上記円筒部の外周面との間に隙間を介して設けられた延出片と、上記筒状部の径方向外方に設けられた支持部とを含んで構成されており、
上記蓋体保持手段は、上記開口を外部に臨ませるように上記蓋体が回動したときに、上記延出片が上記支持部に係合するように構成されている、付記３に記載の容器。
（付記５）
上記蓋体保持手段は、上記円筒部の外周面と上記延出片との間に上記支持部が嵌合する構成を含む、付記４に記載の容器。
（付記６）
上記延出片は、上記円筒部の外周面に向けて突出するフック部を有し、上記フック部において上記支持部に係合する、付記４または５に記載の容器。
（付記７）
上記延出片は、周囲よりも突出するフック部を有し、
上記蓋体保持手段は、上記接続部に設けられ、かつ上記延出片を支えるバックアップ部をさらに含んで構成されており、
上記蓋体保持手段は、上記開口を外部に臨ませるように上記蓋体が回動したときに、上記接続部が折り曲げられた状態にて、上記支持部と上記バックアップ部との間に上記延出片が挟まれ、かつ上記フック部が上記支持部および上記バックアップ部のうち少なくともいずれか一方と係合するように構成されている、付記４に記載の容器。
（付記８）
上記蓋体保持手段は、上記円筒部と上記延出片との間に位置し、かつ上記鍔部の内側面に形成された突出部を備え、
上記開口を外部に臨ませるように上記蓋体が回動したときに、上記突出部は上記支持部の外側面に当接する、付記４ないし７のいずれかに記載の容器。
（付記９）
上記接続部は、上記第１の端部の近傍に設けられ、上記第１の端部から上記第２の端部に向かう方向に対して直角な方向への屈曲を規制する屈曲規制部と、この屈曲規制部よりも上記第２の端部寄りに設けられ、上記第１の端部から上記第２の端部に向かう方向に対して直角な方向に沿って屈曲しやすい屈曲容易部と、を備える、付記４ないし８のいずれかに記載の容器。
（付記１０）
上記接続部は、上記蓋体が上記第２位置をとるときに上記延出片の下端が上記支持体の上端に当接しうるように、上記第１の端部から上記第２の端部に向かう長手方向の長さが設定されており、
上記蓋体が上記第１位置をとるとき、上記延出片のうち上記支持部の上端より下位に位置する部分の上記軸方向の長さが、上記円筒部のうち上記筒状部に嵌まる部分の長さよりも大である、付記４ないし９のいずれかに記載の容器。
（付記１１）
上記第１位置をとった上記蓋体の上記容器本体に対する移動抵抗力を与える蓋体仮止め手段を備える、付記２ないし１０のいずれかに記載の容器。
（付記１２）
上記第１位置をとった上記蓋体の上記容器本体に対する移動抵抗力を与える蓋体仮止め手段を備え、
上記蓋体仮止め手段は、上記蓋体が上記第１位置をとるときに上記延出片の上記フック部と上記支持部とが係合する構成を含む、付記６または７に記載の容器。
（付記１３）
上記蓋体は、上記鍔部に対して上記頂板部の中心を挟んだ反対側位置において上記頂板部の周部の径方向外方に設けられた係止部を備え、
上記容器本体は、上記筒状部の径方向外方に設けられた被係止部を備えており、
上記蓋体仮止め手段は、上記蓋体が上記第１位置をとるときに、上記係止部と上記被係止部とが係合する構成を含む、付記１１または１２に記載の容器。
（付記１４）
上記蓋体の上記係止部は、上記筒状部の径方向内方に向けて突出し、上記被係止部と係合する係止突部と、上記筒状部の径方向外方において上記係止突部から上記筒状部の軸方向に沿って下方に延びる延出部と、を有する、付記１３に記載の容器。
（付記１５）
上記容器本体の上記筒状部の外面には、上記蓋体が上記第２位置をとるときに上記延出部の下端が当接しうる突部が設けられている、付記１４に記載の容器。
（付記１６）
上記蓋体は、上記頂板部の周部から延びるとともに、上記容器本体の上記筒状部に嵌まる円筒部を有し、
上記容器本体の上記筒状部と上記蓋体の上記円筒部には、その一方に雄ネジが設けられるとともに他方に上記雄ネジと螺合しうる雌ネジが設けられ、
上記接続部の上記第１の端部には、上記容器本体に対して相対回転可能に取り付けられるリング体が設けられており、
上記蓋体は、上記雄ネジと上記雌ネジとが螺合する状態において上記第１位置をとり、上記雄ネジと上記雌ネジとが螺合しない状態において上記第２位置をとる、付記２に記載の容器。
（付記１７）
上記蓋体保持手段は、上記鍔部から延びるとともに上記円筒部の外周面との間に隙間を介して設けられた延出片と、上記筒状部の径方向外方において上記リング体に設けられた支持部とを含んで構成されており、
上記蓋体保持手段は、上記開口を外部に臨ませるように上記蓋体が回動したときに、上記延出片が上記支持部に係合するように構成されている、付記１６に記載の容器。
（付記１８）
上記蓋体保持手段は、上記円筒部の外周面と上記延出片との間に上記支持部が嵌合する構成を含む、付記１７に記載の容器。
（付記１９）
上記延出片は、上記円筒部の外周面に向けて突出するフック部を有し、上記フック部において上記支持部に係合する、付記１７または１８に記載の容器。
（付記２０）
上記雄ネジまたは上記雌ネジは、螺合し始める部分のネジ山の高さが相対的に低くされている、付記１６ないし１９のいずれかに記載の容器。
（付記２１）
上記鍔部の上面および上記接続部の外側面の少なくともいずれか一方には、凸部が設けられている、付記１ないし２０のいずれかに記載の容器。
（付記２２）
開口をもつ筒状部を有し、有底筒状の容器の開放端部に装着可能なスリーブ体と、上記開口を閉塞可能な蓋体と、上記スリーブ体につながる第１の端部および上記蓋体につながる第２の端部を有する接続部と、を備えた容器用アタッチメントであって、
上記蓋体は、上記開口を塞ぐ頂板部および当該蓋体の周部における所定部位から外方に延びる鍔部を有するとともに、上記鍔部を介して上記接続部の上記第２の端部につながっており、
上記蓋体を、上記鍔部が押し下げられて上記開口を外部に臨ませるように回動した状態で保持する蓋体保持手段を備えることを特徴とする、容器用アタッチメント。
（付記２３）
上記蓋体は、上記開口を閉塞する第１位置と、上記第１位置に対して上記鍔部が上記筒状部の軸方向に所定距離移動した第２位置と、上記第２位置から上記開口を外部に臨ませるように回動した第３位置とをとることができ、
上記蓋体保持手段は、上記第３位置をとった上記蓋体を保持する、付記２２に記載の容器用アタッチメント。
（付記２４）
上記蓋体は、上記頂板部の周部から延びるとともに、上記第１位置をとるときに上記容器の上記開放端部または上記スリーブ体の上記筒状部に嵌まる円筒部を有する、付記２３に記載の容器用アタッチメント。
（付記２５）
上記蓋体保持手段は、上記鍔部から延びるとともに上記円筒部の外周面との間に隙間を介して設けられた延出片と、上記筒状部の径方向外方に設けられた支持部とを含んで構成されており、
上記蓋体保持手段は、上記開口を外部に臨ませるように上記蓋体が回動したときに、上記延出片が上記支持部に係合するように構成されている、付記２４に記載の容器用アタッチメント。
（付記２６）
上記蓋体保持手段は、上記円筒部の外周面と上記延出片との間に上記支持部が嵌合する構成を含む、付記２５に記載の容器用アタッチメント。
（付記２７）
上記延出片は、上記円筒部の外周面に向けて突出するフック部を有し、上記フック部において上記支持部に係合する、付記２５または２６に記載の容器用アタッチメント。
（付記２８）
上記延出片は、周囲よりも突出するフック部を有し、
上記蓋体保持手段は、上記接続部に設けられ、かつ上記延出片を支えるバックアップ部をさらに含んで構成されており、
上記蓋体保持手段は、上記開口を外部に臨ませるように上記蓋体が回動したときに、上記接続部が折り曲げられた状態にて、上記支持部と上記バックアップ部との間に上記延出片が挟まれ、かつ上記フック部が上記支持部および上記バックアップ部のうち少なくともいずれか一方と係合するように構成されている、付記２５に記載の容器用アタッチメント。
（付記２９）
上記蓋体保持手段は、上記円筒部と上記延出片との間に位置し、かつ上記鍔部の内側面に形成された突出部を備え、
上記開口を外部に臨ませるように上記蓋体が回動したときに、上記突出部は上記支持部の外側面に当接する、付記２５ないし２８のいずれかに記載の容器用アタッチメント。
（付記３０）
上記接続部は、上記第１の端部の近傍に設けられ、上記第１の端部から上記第２の端部に向かう方向に対して直角な方向への屈曲を規制する屈曲規制部と、この屈曲規制部よりも上記第２の端部寄りに設けられ、上記第１の端部から上記第２の端部に向かう方向に対して直角な方向に沿って屈曲しやすい屈曲容易部と、を備える、付記２５ないし２９のいずれかに記載の容器用アタッチメント。
（付記３１）
上記接続部は、上記蓋体が上記第２位置をとるときに上記延出片の下端が上記支持体の上端に当接しうるように、上記第１の端部から上記第２の端部に向かう長手方向の長さが設定されており、
上記蓋体が上記第１位置をとるとき、上記延出片のうち上記支持部の上端より下位に位置する部分の上記軸方向の長さが、上記円筒部のうち上記筒状部に嵌まる部分の長さよりも大である、付記２５ないし３０のいずれかに記載の容器用アタッチメント。
（付記３２）
上記第１位置をとった上記蓋体の上記スリーブ体に対する移動抵抗力を与える蓋体仮止め手段を備える、付記２３ないし３１のいずれかに記載の容器用アタッチメント。
（付記３３）
上記第１位置をとった上記蓋体の上記容器本体に対する移動抵抗力を与える蓋体仮止め手段を備え、
上記蓋体仮止め手段は、上記蓋体が上記第１位置をとるときに上記フック部と上記支持部とが係合する構成を含む、付記２７または２８に記載の容器用アタッチメント。
（付記３４）
上記蓋体は、上記鍔部に対して上記頂板部の中心を挟んだ反対側位置において上記頂板部の周部の径方向外方に設けられた係止部を備え、
上記スリーブ体は、上記筒状部の径方向外方に設けられた被係止部を備えており、
上記蓋体仮止め手段は、上記蓋体が上記第１位置をとるときに、上記係止部と上記被係止部とが係合する構成を含む、付記３２または３３に記載の容器用アタッチメント。
（付記３５）
上記蓋体の上記係止部は、上記筒状部の径方向内方に向けて突出し、上記被係止部と係合する係止突部と、上記筒状部の径方向外方において上記係止突部から上記筒状部の軸方向に沿って下方に延びる延出部と、を有する、付記３４に記載の容器用アタッチメント。
（付記３６）
上記スリーブ体の上記筒状部の外面には、上記蓋体が上記第２位置をとるときに上記延出部の下端が当接しうる突部が設けられている、付記３５に記載の容器用アタッチメント。
（付記３７）
上記鍔部の上面および上記接続部の外側面の少なくともいずれか一方には、凸部が設けられている、付記２２ないし３６のいずれかに記載の容器用アタッチメント。
【図１】
2011108134.tif 000003
【図２】
2011108134.tif 000004
【図３】
2011108134.tif 000005
【図４】
2011108134.tif 000006
【図５】
2011108134.tif 000007
【図６】
2011108134.tif 000008
【図７】
2011108134.tif 000009
【図８】
2011108134.tif 000010
【図９】
2011108134.tif 000011
【図１０】
2011108134.tif 000012
【図１１】
2011108134.tif 000013
【図１２】
2011108134.tif 000014
【図１３】
2011108134.tif 000015
【図１４】
2011108134.tif 000016
【図１５】
2011108134.tif 000017
【図１６】
2011108134.tif 000018
【図１７】
2011108134.tif 000019
【図１８】
2011108134.tif 000020
【図１９】
2011108134.tif 000021
【図２０】
2011108134.tif 000022
【図２１】
2011108134.tif 000023
【図２２】
2011108134.tif 000024
【図２３】
2011108134.tif 000025
【図２４】
2011108134.tif 000026
【図２５】
2011108134.tif 000027
【図２６】
2011108134.tif 000028
【図２７】
2011108134.tif 000029
【図２８】
2011108134.tif 000030
【図２９】
2011108134.tif 000031
【図３０】
2011108134.tif 000032
【国際調査報告】
2011108134.tif 000033
2011108134.tif 000034
2011108134.tif 000035
2011108134.tif 000036
2011108134.tif 000037
2011108134.tif 000038
2011108134.tif 000039